(57)【特許請求の範囲】
【請求項１】
通路状をなす通路状空間の天井部にて煙を排出するダクトを有する通路状空間の排煙設備であって、
前記ダクトは、
前記煙を堰き止めるように前記通路状空間の往来方向と交差する方向に設けられており、
前記通路状空間の前記往来方向における前記ダクトの両側の領域に臨む両面に、当該ダクトの内外を連通する開口と、前記開口を開放可能に閉止する閉止部材と、を有し、
前記通路状空間には、前記往来方向において前記ダクトの両側の領域に、各々の前記領域における前記煙の存在を知らせる信号を発生する信号発生器がそれぞれ設けられており、
前記閉止部材は、通常は、前記両面に設けられた前記開口をそれぞれ閉止しており、
前記閉止部材は、前記信号が発せられた前記信号発生器が設けられている前記領域に臨む前記開口が有する前記閉止部材のみが開放されることを特徴とする通路状空間の排煙設備。
【請求項２】
請求項１に記載の通路状空間の排煙設備であって、
前記開口は、前記通路状空間の幅方向において当該通路状空間を形成する一方の側壁側から他方の側壁側に繋がって設けられていることを特徴とする通路状空間の排煙設備。
【請求項３】
請求項１に記載の通路状空間の排煙設備であって、
前記開口は、前記通路状空間の幅方向において複数設けられていることを特徴とする通路状空間の排煙設備。
【請求項４】
請求項１乃至請求項３のいずれかに記載の通路状空間の排煙設備であって、
前記信号発生器は、前記煙を検知して前記信号を発生するセンサーであることを特徴とする通路状空間の排煙設備。
【請求項５】
請求項１乃至請求項４のいずれかに記載の通路状空間の排煙設備であって、
前記信号発生器は、人の操作により前記信号を発生するスイッチであることを特徴とする通路状空間の排煙設備。
【発明の詳細な説明】
【技術分野】
【０００１】
本発明は、通路状をなす通路状空間の煙を排出する通路状空間の排煙設備に関する。
【背景技術】
【０００２】
通路状空間の煙を排出する通路状空間の排煙設備としては、たとえば、通常時は上方に持ち上げられて天井面に設けられた排煙開口を閉鎖し、煙を感知すると降下して排煙開口が開かれる錐型開閉パネルを備えた排煙設備が知られている（例えば、特許文献１参照）。このような排煙設備は、降下した錐型開閉パネルの外周に沿って開かれた排煙開口から煙を排煙ダクト内に吸引する。
【先行技術文献】
【特許文献】
【０００３】
【特許文献１】特開平１１―１９３９５４号公報
【発明の概要】
【発明が解決しようとする課題】
【０００４】
火災時などの煙は、排煙開口に対していずれの方向から流れてくるかわからない。このため、たとえば、排煙開口に対して所定の方向のみから煙が近づいている場合に、錐型開閉パネルの外周に沿って開かれた排煙開口から吸引すると、所定の方向以外の方向に開放された方向からも吸引するため、煙のみならず空気まで吸引してしまう。このとき、煙が近づく方向と異なる方向から吸引された空気により煙の吸引が妨げられる虞があり、煙の吸引効率が低下するという課題がある。
【０００５】
本発明は、かかる課題に鑑みてなされたものであり、その目的とするところは、煙を効率良く排出することが可能な通路状空間の排煙設備を提供することにある。
【課題を解決するための手段】
【０００６】
かかる目的を達成するために本発明の通路状空間の排煙設備は、
通路状をなす通路状空間の天井部にて煙を排出するダクトを有する通路状空間の排煙設備であって、
前記ダクトは、
前記煙を堰き止めるように前記通路状空間の往来方向と交差する方向に設けられており、
前記通路状空間の前記往来方向における前記ダクトの両側の領域に臨む両面に、当該ダクトの内外を連通する開口と、前記開口を開放可能に閉止する閉止部材と、を有し、
前記通路状空間には、前記往来方向において前記ダクトの両側の領域に、各々の前記領域における前記煙の存在を知らせる信号を発生する信号発生器がそれぞれ設けられており、
前記閉止部材は、通常は、前記両面に設けられた前記開口をそれぞれ閉止しており、
前記閉止部材は、前記信号が発せられた前記信号発生器が設けられている前記領域に臨む前記開口が有する前記閉止部材のみが開放されることを特徴とする通路状空間の排煙設備である。
【０００７】
このような通路状空間の排煙設備によれば、ダクトに堰き止められた煙を排出するための開口がダクトに設けられているので、通路状空間の煙を効率良く排出することが可能である。また、開口を閉止する閉止部材は、煙の存在を知らせる信号を発生する信号発生器の信号により開口を開放するので、信号発生器の信号に基づいて閉止部材を作動させて、より確実に排煙することが可能である。
【０００８】
また、開口及び閉止部材は、往来方向におけるダクトの両側の領域に臨む両面にそれぞれ設けられ、往来方向においてダクトの両側の領域にそれぞれ設けられた信号発生器のうちの、信号が発せられた信号発生器が設けられている領域に臨む開口が有する閉止部材のみが開放されるので、ダクトにより堰き止められた煙を、煙と正対する開口から確実にダクト内に流入させることができるとともに、煙が堰き止められていない側からは空気がダクト内に流入されない。このため、効率良く排煙することが可能である。また、開口は、ダクトの、往来方向における両側に設けられているので、通路状空間においてダクトに対し、往来方向のいずれの側からも効率良く排煙することが可能である。
【０００９】
かかる通路状空間の排煙設備であって、前記開口は、前記通路状空間の幅方向において当該通路状空間を形成する一方の側壁側から他方の側壁側に繋がって設けられていることが望ましい。  
このような通路状空間の排煙設備によれば、ダクトの内外を連通する開口が、通路状空間の幅方向において当該通路状空間を形成する一方の側壁側から他方の側壁側に繋がって設けられているので、ダクトにより堰き止められた煙を、より整然とダクトに流入させて効率良く排煙することが可能である。
【００１０】
かかる通路状空間の排煙設備であって、前記開口は、前記通路状空間の幅方向において複数設けられていてもよい。  
このような通路状空間の排煙設備によれば、ダクトの内外を連通する開口が、通路状空間の幅方向において複数設けられているので、ダクトにより堰き止められた煙を、複数の開口からダクトに流入させて効率良く排煙することが可能である。
【００１１】
かかる通路状空間の排煙設備であって、前記信号発生器は、前記煙を検知して前記信号を発生するセンサーであることが望ましい。  
このような通路状空間の排煙設備によれば、通路状空間に煙が発生した際には、センサーにて検知されるので、人が気付かない場合であっても、センサーの信号により閉止部材を作動させて、より早く排煙することが可能である。
【００１２】
かかる通路状空間の排煙設備であって、前記信号発生器は、人の操作により前記信号を発生するスイッチであることが望ましい。  
このような通路状空間の排煙設備によれば、人がスイッチを操作することにより閉止部材が開放されるので、例えば煙がセンサーに達する前に人が気付いて操作した場合には、スイッチの信号により閉止部材を作動させて、より早く排煙することが可能である。
【発明の効果】
【００１３】
本発明によれば、煙を効率良く排出することが可能な通路状空間の排煙設備を提供することが可能である。
【図面の簡単な説明】
【００１４】
【図１】本発明にかかる通路状空間の排煙設備の一実施形態の概略を示す側面図である。
【図２】本発明にかかる通路状空間の排煙設備の一実施形態の概略を示す平面図である。
【発明を実施するための形態】
【００１５】
以下、本発明の実施形態について図面を用いて詳細に説明する。  
本発明に係る通路状空間の排煙設備は、例えば、建物に設けられている共用通路のような、空間の幅に対して幅方向と交差する長手方向の長さが長い通路状空間に設けられ、火災発生時などに、この通路状空間に沿って流れた煙が建物全体に充満すること防止するために煙を建物外に排出する排煙設備である。このため、通路状空間は、必ずしも通路に限るものではなく、幅方向に対して長手方向に十分長い空間を対象としている。以下の説明では、通路状空間を、所定方向に延びる通路とした場合を例に挙げて説明する。
【００１６】
図１は、本発明にかかる通路状空間の排煙設備の一実施形態の概略を示す側面図である。図２は、本発明にかかる通路状空間の排煙設備の一実施形態の概略を示す平面図である。
【００１７】
本実施形態の通路状空間の排煙設備が設けられる通路は、図１に示すように、当該通路１の上階の床をなす床スラブ３の下面が天井２をなしている。ここで、本実施形態においては、天井２及び天井２下であって天井２近傍の空間が天井部に相当するが、床スラブ３の下に間隔を隔てて天井板が設けられ天井板の下面が天井をなす場合には、天井板、天井板と床スラブとの間の空間、及び、天井板の下であって天井板近傍の空間が天井部に含まれる。
【００１８】
通路１の天井２には、図２に示すように、通路１の往来方向（空間の長手方向）と直交する幅方向に、通路１を形成する一方の側壁４から突出して他方の側壁５にわたるように排煙ダクト１０が設けられている。このとき、排煙ダクト１０と両側壁４、５及び天井２との間には空隙が生じないように排煙ダクト１０が設けられている。また、排煙ダクト１０は、開口としての排煙口１１を介して通路１と建物外とを連通するように設けられており、排煙ダクト１０内には後述する制御部(不図示)により駆動されて通路１内及び排煙ダクト１０内の空気を建物外に排出する排煙ファン（不図示）が設けられている。
【００１９】
排煙ダクト１０は、往来方向に沿った縦断面が矩形状をなし、上面部１０ａ及び下面部１０ｂと、往来方向においてダクト１０の両側の領域に臨む２つの側面部１０ｃ、１０ｄとを有している。すなわち、２つの側面部１０ｃ、１０ｄが、通路１の往来方向において、排煙ダクト１０の両側の領域に臨む面をなしている。
【００２０】
排煙ダクト１０が有する両側面部１０ｃ、１０ｄには、通路１の幅方向において一方の側壁４側から他方の側壁５側に繋がって設けられた排煙口１１と、この排煙口１１を開放可能に閉塞する板状の閉止部材１２と、がそれぞれ設けられている。
【００２１】
閉止部材１２は、例えば、排煙口１１の上下方向における中央にて幅方向に沿う回動軸Ｃを中心に回動自在に支持されており、通常は排煙口１１を閉塞した状態に保たれている。そして、外部から入力される信号に基づいて制御部（不図示）に制御される駆動部、例えばモーター（不図示）にて回動されて、排煙口１１を開放するように構成されている。例えば、ダクト１０の両側に設けられている排煙口１１ａ、１１ｂを閉塞していた閉止部材１２ａ、１２ｂが、モーターにより回転されて、排煙口１１ａ、１１ｂが設けられている側面部１０ｃ、１０ｄにほぼ直交するように水平な状態となることにより排煙口１１ａ、１１ｂが開放される。
【００２２】
通路１の天井２には、煙Ｓを検知可能なセンサーとしての煙感知器１５が設けられ、また、側壁４、５には通路１を使用する人が操作可能な位置に、閉止部材１２を回動するためのスイッチとして操作スイッチ１６が設けられている。煙感知器１５及び操作スイッチ１６は、通路１の往来方向において排煙ダクト１０の両側の領域にそれぞれ設けられた信号発生器の一例であり、通路１に複数の排煙ダクト１０が設けられている場合には、隣接する排煙ダクト１０間の領域にそれぞれ少なくとも１つずつ設けられている。
【００２３】
各閉止部材１２は、閉止部材１２が閉止している排煙口１１が臨む領域に設けられている煙感知器１５及び操作スイッチ１６からの信号に基づいて排煙口を開放するように構成されている。このため、通路１に発生し上昇した煙Ｓが、天井２に沿って流れる際に、天井２に設けられた煙感知器１５を覆うように流れると、煙感知器１５が煙Ｓを検知して、制御部に信号を発信する。信号を受信した制御部は、信号を発信した煙感知器１５が設けられている領域に臨む排煙口１１を閉止している閉止部材１２が繋げられているモーターのみを駆動して閉止部材１２を回転させ排煙口１１を開放するとともに、排煙ダクト１０内に設けられた排煙ファンを駆動する。
【００２４】
一方、煙Ｓは天井２の下を流れ、排煙口１１が開放されるまでは排煙ダクト１０によって堰き止められ、閉止部材１２が開放されると排煙ダクト１０内に吸引されて建物外に排出される。すなわち、本発明の排煙ダクト１０は、防煙垂壁としても機能している。また、煙感知器１５より先に、例えば通路１を利用している人が煙Ｓに気付いて操作スイッチ１６を操作した場合には、操作スイッチ１６からの信号に基づいて排煙口１１を開放することも可能である。
【００２５】
上記実施形態においては、閉止部材１２を開放するための専用の操作スイッチ１６を備えた例について説明したが、専用の操作スイッチ１６を設けず、建物に設けられている非常ボタンなどと連動して閉止部材１２が開放される形態であっても構わない。
【００２６】
上記実施形態の通路状空間の排煙設備によれば、排煙ダクト１０に堰き止められた煙Ｓを排出するための排煙口１１が排煙ダクト１０に設けられているので、通路１の煙Ｓを効率良く排出することが可能である。また、排煙口１１を閉止する閉止部材１２は、煙Ｓの存在を知らせる信号を発生する煙感知器１５及び操作スイッチ１６の信号により排煙口１１を開放するので、煙感知器１５及び操作スイッチ１６の信号に基づいて閉止部材１２を作動させて、より確実に排煙することが可能である。
【００２７】
また、排煙口１１及び閉止部材１２は、往来方向における排煙ダクト１０の両側の領域に臨む両側面部１０ｃ、１０ｄにそれぞれ設けられ、往来方向において排煙ダクト１０の両側の領域にそれぞれ設けられた煙感知器１５及び操作スイッチ１６のうちの、信号が発せられた煙感知器１５及び操作スイッチ１６が設けられている領域の閉止部材１２のみが開放されるので、排煙ダクト１０により堰き止められた煙Ｓを、煙Sと正対する排煙口１１から確実に排煙ダクト１０内に流入させることができるとともに、煙Ｓが堰き止められていない側からは空気が排煙ダクト１０内に流入されない。このため、効率良く排煙することが可能である。また、排煙口１１は、排煙ダクト１０の、往来方向における両側に設けられているので、通路１において排煙ダクト１０に対し、往来方向のいずれの側からも効率良く排煙することが可能である。
【００２８】
また、排煙ダクト１０の内外を連通する排煙口１１が、通路１の幅方向において当該通路を形成する一方の側壁４側から他方の側壁５側に繋がって設けられているので、排煙ダクト１０により堰き止められた煙Ｓを、より整然と排煙ダクト１０に流入させて効率良く排煙することが可能である。ここで、排煙ダクト１０に設けられる排煙口１１は、必ずしも一方の側壁４側から他方の側壁５側に繋がって設けられていなくともよい。たとえば、排煙口１１が通路１の幅方向において複数設けられていてもよい。この場合であっても、排煙ダクト１０により堰き止められた煙を、複数の排煙口１１から排煙ダクト１０内に流入させて排煙することが可能である。
【００２９】
また、通路１に煙Ｓが発生した際には、煙感知器１５にて検知されるので、人が気付かない場合であっても、煙感知器１５の信号に基づいて閉止部材１２を作動させて、より早く排煙することが可能である。また、排煙口１１を閉止する閉止部材１２は、人の操作により信号を発生する操作スイッチ１６の信号によっても排煙口１１を開放することができるので、煙Ｓが煙感知器１５などに達する前に、人が気付いて操作した場合には、操作スイッチ１６の信号に基づいて閉止部材１２を作動させて、より早く排煙することが可能である。
【００３０】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３１】
１  通路
２  天井
３  床スラブ
４  側壁
５  側壁
１０  排煙ダクト
１０ａ  上面部
１０ｂ  下面部
１０ｃ  側面部
１０ｄ  側面部
１１  排煙口
１１ａ  排煙口
１１ｂ  排煙口
１２  閉止部材
１２ａ  閉止部材
１２ｂ  閉止部材
１５  煙感知器
１５ａ  煙感知器
１５ｂ  煙感知器
１６  操作スイッチ
１６ａ  操作スイッチ
１６ｂ  操作スイッチ
Ｃ  回動軸
Ｓ  煙
【図２】
0005891824.tif 000002
【図１】
0005891824.tif 000003